(57)【要約】【課題】省電力化を図ることのできる携帯端末装置を提供することを目的とする。【解決手段】基地局検索制御部24は、受信部20に受信指示信号を出力して間欠受信を行う際、強制基地局検索指示26を入力すると基地局検索結果と強制基地局検索指示26の有無とを処理判定部30に通知し、処理判定部30は、基地局検索結果によって連続圏外判定回数をカウンタ34にて計数し、間欠受信周期決定して間欠受信設定指示をタイマ設定部36に通知するとともに状態遷移を行う。【選択図】図１
2008177915.tif 000002
【特許請求の範囲】
【請求項１】
基地局からの電波を受信して該基地局によるサービスの圏内または圏外を判定する携帯端末装置において、該装置は、
前記基地局からの電波を間欠受信して該基地局を検索する検索手段と、
該検索手段による前記基地局の検索の結果と強制基地局検索の指示と現状態とに基づいて間欠受信を設定し、状態遷移を行う処理判定手段と、
前記間欠受信の設定に基づいて間欠受信の間隔を制御する制御手段とを含むことを特徴とする携帯端末装置。
【請求項２】
請求項１に記載の装置において、前記処理判定手段は連続圏外判定回数と現状態とで間欠受信周期を決定し、前記強制基地局検索の指示がある場合に、前記間欠受信の周期が短くなるように状態遷移を行うことを特徴とする携帯端末装置。
【請求項３】
基地局からの電波を受信して該基地局によるサービスの圏内または圏外を判定する携帯端末装置にて、前記基地局からの電波を間欠受信する受信方法において、該方法は、
前記基地局からの電波を間欠受信して該基地局を検索する検索工程と、
該検索工程による前記基地局の検索の結果と強制基地局検索の指示と現状態とに基づいて間欠受信を設定し、状態遷移を行う処理判定工程と、
前記間欠受信の設定に基づいて間欠受信の間隔を制御する制御工程とを含むことを特徴とする受信方法。
【請求項４】
請求項３に記載の方法において、前記処理判定工程は連続圏外判定回数と現状態とで間欠受信周期を決定し、前記強制基地局検索の指示がある場合に、前記間欠受信の周期が短くなるように状態遷移を行うことを特徴とする受信方法。
【発明の詳細な説明】
【技術分野】
【０００１】
本発明は、基地局からの電波を受信して基地局によるサービスの圏内または圏外を判定する携帯端末装置に係り、携帯端末装置の省電力化に関するものである。
【背景技術】
【０００２】
近年、携帯電話システムのサービスを提供する基地局のサービス圏外で、使用者に受信間隔のパラメータを設定させることなく受信周期を調節して、使用状況に応じた省電力化を実現することが求められていた。
【０００３】
特許文献１にはバッテリ消費をセーブする携帯電話システムが開示されている。このようなシステムでは、たとえば、基地局のサービス圏外に携帯電話機があるときに、基地局から送出されている制御情報の受信強度を自機の携帯電話機にて検出し、受信結果の時系列を線形予測分析により予測し、さらに次時刻の受信強度を予測して受信間隔のパラメータを設定する。携帯電話機は、設定された受信間隔で制御情報の受信強度を計測し、計測された受信強度を基にして受信周期を間引く。これらの動作を繰り返すことにより待ち受け中のバッテリの消費を低減する。
【特許文献１】特開２０００−１７４６８９号公報
【発明の開示】
【発明が解決しようとする課題】
【０００４】
しかしながら、従来システムでは、使用者の意に反して圏外から圏内への受信状態の回復に長い時間がかかり、使い勝手が充分に良好ではないことがあった。また、従来システムでは、複雑な線形予測演算を行う必要があり、この演算処理のため携帯電話機の構成が増大したり、電力消費が大きくなったりするという問題があった。
【０００５】
本発明はこのような課題に鑑み、省電力化を図ることのできる携帯端末装置を提供することを目的とする。
【課題を解決するための手段】
【０００６】
本発明は上述の課題を解決するために、基地局からの電波を受信して基地局によるサービスの圏内または圏外を判定する携帯端末装置において、この装置は、基地局からの電波を間欠受信して基地局を検索する検索手段と、検索手段による基地局の検索の結果と強制基地局検索の指示と現状態とに基づいて間欠受信を設定し、状態遷移を行う処理判定手段と、間欠受信の設定に基づいて間欠受信の間隔を制御する制御手段とを含むことを特徴とする。この場合、処理判定手段は連続圏外判定回数と現状態とで間欠受信周期を決定し、強制基地局検索の指示がある場合に、間欠受信の周期が短くなるように状態遷移を行うとよい。
【０００７】
また、本発明は上述の課題を解決するために、基地局からの電波を受信して基地局によるサービスの圏内または圏外を判定する携帯端末装置にて、基地局からの電波を間欠受信する受信方法において、この方法は、基地局からの電波を間欠受信して基地局を検索する検索工程と、検索工程による基地局の検索の結果と強制基地局検索の指示と現状態とに基づいて間欠受信を設定し、状態遷移を行う処理判定工程と、間欠受信の設定に基づいて間欠受信の間隔を制御する制御工程とを含むことを特徴とする。この場合、処理判定工程は連続圏外判定回数と現状態とで間欠受信周期を決定し、強制基地局検索の指示がある場合に、間欠受信の周期が短くなるように状態遷移を行うとよい。
【発明の効果】
【０００８】
本発明によれば、携帯端末装置が圏外に位置する場合に、間欠受信を行う圏外処理の際に、間欠受信の周期を制御して消費電力量を減少させることができる。強制基地局検索によって、圏外から圏内への移動したときの判定処理の更新が長い時間行われなくなることが防止される。これらにより、携帯電話端末装置の省電力化を図ることができる。
【発明を実施するための最良の形態】
【０００９】
次に添付図面を参照して本発明による携帯端末装置の実施例を詳細に説明する。図１を参照すると、本発明が適用された携帯電話端末の実施例が示されている。なお、以下の説明において本発明に直接関係のない部分は、図示およびその説明を省略し、また、信号の参照符号はその現れる接続線の参照番号で表す。
【００１０】
携帯電話端末10は、不図示の基地局から送信される無線電波を受信し、基地局のサービス圏内であるか圏外であるかを判定して基地局検索結果を生成し、基地局検索結果を含む受信結果を示す受信結果信号を接続線18に出力する受信部20と、受信部20に対する受信指示を示す受信指示信号を接続線22に出力する基地局検索制御部24とを含む。基地局検索制御部24は、強制基地局検索指示を接続線26に入力し、受信結果信号18から判別される基地局検索結果と強制基地局検索指示26の有無とを接続線28を介して接続された処理判定部30に通知する。強制基地局検索指示26は、たとえば使用者の操作による指示やメニュー設定等により携帯電話端末10に設定される。
【００１１】
携帯電話端末10は、基地局検索制御部24から通知される基地局検索結果と強制基地局検索指示26に応じて間欠受信設定指示を接続線32に出力する処理判定部30を含み、処理判定部24は、連続して圏外状態を判定した回数（連続圏外判定回数）を計数する連続圏外判定回数カウンタ34（以下、カウンタ34と呼ぶ）を含む。
【００１２】
間欠受信設定指示32を処理判定部30から入力するタイマ設定部36は、間欠受信設定指示32に応動して間欠受信周期をタイマ部38に設定するための間欠受信周期設定指示を接続線40に出力してタイマ部38を制御する。タイマ部38は、タイマ設定部36により制御されて、携帯電話端末10が圏外状態のときにその無線受信状態を確認するための間欠受信の間隔（以下、間欠受信間隔と称する）が計数される。タイマ部38は、その計数時に間欠受信間隔を超えるとタイマアウト表示を接続線42を介して基地局検索制御部24に通知する。
【００１３】
基地局検索制御部24は、タイマアウト表示または強制基地局検索指示に応じて、受信部20に対し受信指示22を出力する。受信部20は、基地局から送出される無線電波の受信強度を検出する機能を有し、基地局発見の成功または不成功の状態を表す基地局検索結果を含む受信結果18を基地局検索制御部24に対して「受信表示」という形式にて通知する。
【００１４】
基地局検索制御部24は、受信結果18によって通知される基地局検索結果と、強制基地局検索指示26があるか否かとを処理判定部30に通知する。なお、基地局検索制御部24は、基地局検索によって有効な基地局を発見することができた場合には、強制基地局検索指示26の有無を処理判定部30に通知しなくてもよい。
【００１５】
処理判定部30は、圏外および圏内の現状態、つまり基地局検索結果と、強制基地局検索の指示の有無を示す入力値とを基地局検索制御部24から受信して、タイマ部38に対する間欠受信設定指示と状態遷移とを行う。このため処理判定部30はカウンタ34を備えている。
【００１６】
以上の構成で、間欠受信周期を決定する方法を説明する。まず、間欠受信周期の集合を集合Tとする。ここで、
T=｛T_0, T_1, ...., T_a｝、ただし、
0 < T_0 < T_1 < ... < T_a
とする。
【００１７】
「状態s」（sは変数）のときに圏外であることを判定する圏外判定が連続N_s回行われると、間欠受信周期をT_sに設定し「状態s+1」に遷移する。このときの連続圏外判定数の閾値集合を集合Nとする。ここで、
N=｛N_0, N_1, ...., N_a｝
とする。
【００１８】
圏内であることを判定する圏内判定が行われたときは待ち受け動作を行って、「状態０」に遷移する。
【００１９】
間欠受信周期がある程度大きくなっている場合は、実際に圏内に移動してきている場合でも圏内確認の間欠受信動作が行われるまでに時間がかかってしまうので、その結果、圏外表示されている時間が長くなりがちである。携帯電話端末10は圏外表示を行っているが、その時点で基地局検索を行えば圏内（表示）になるであろうと使用者が考えるときに、操作等によって強制的に基地局検索を行うことができるようにする。強制基地局検索によって圏内判定が行われた場合には待ち受け動作を行い、「状態０」に遷移する。強制基地局検索を行うための操作は、そのために設定した操作ボタンを押下する操作に限らず、たとえば発信操作等携帯電話端末10に対する他の操作を強制基地局検索を行うための操作として認識してよい。
【００２０】
強制基地局検索を行っても圏外判定が行われる場合には引き続き間欠受信を行う。この場合、使用者の受信要求が高まっていると判断し、これを考慮して間欠受信周期を短くする。強制基地局受信を行ったときに「状態s」であった場合には、「状態s-u」に遷移して、間欠受信周期を周期T_(s-u-1)に設定する。このときの連続圏外判定数の閾値は値N_(s-u)である（uは変数）。
【００２１】
次に図２を参照して携帯電話端末10の動作を説明する。また、携帯電話端末10の状態を図３の状態遷移図に示す。まず、携帯電話端末10を間欠受信の状態に設定する。このときの状態が状態遷移図（図３）における状態A_0、閾値N_0である。次いで図２に示すステップS200に進むと、間欠受信周期にて受信指示信号22を受信部20に出力して受信部20を起動する。
【００２２】
ステップS202において、受信部20から出力される受信結果信号18を入力して受信確認を行う。この受信確認により、圏外であるか否かを判定し、圏外ではない、つまり圏内である場合には、ステップS204に進んで所定の時間待ち受け処理を行う。この待ち受け処理が終了するとステップS200に戻って受信確認および以降の処理が行われる。
【００２３】
ステップS202にて圏外であると判定した場合には、ステップS206に進んで、カウンタ34の計数値xに値1を加算して計数値xを更新する。
【００２４】
次にステップS208に進むと、更新後の計数値xが、設定された状態番号に対応する連続圏外判定回数の閾値以上であるか否かを判定し、閾値以上である場合（x≧N_0）には次のステップS210に進み、そうではない場合（x<N_0）にはステップS200に戻る（状態A_0）。
【００２５】
次にステップS210に進むと、強制基地局検索を実行するか否かが判定され、たとえば操作等により強制基地局検索を実行する指示がある場合にはステップS212に進む。
【００２６】
ステップS214では、現在の状態番号（現状態番号）から値uを減算して現状態番号を更新する（現状態番号-u）。このとき値uは適当な整数値を設定する。また、値uが現状態番号よりも大きい場合には、状態番号を値0に更新して、これを現状態番号とする。
【００２７】
次にステップS214に進むと、閾値を新しい状態番号に対応した値に更新し、さらにカウンタ34の計数値をクリアする（状態A_0、閾値N_1、x=0）。次いでステップS216に進み、間欠受信周期を新しい状態番号に対応する周期に更新して間欠受信設定を行う（t=T_0）。
【００２８】
ステップS210において、強制基地局受信を実行しないと判定した場合にはステップS220に進む。ステップS220では、現在の状態番号に値1を加算して現状態番号を更新する（現状態番号+1）。
【００２９】
次にステップS222に進むと、閾値を新しい状態番号に対応した値に更新し、さらにカウンタ34の計数値をクリアする（状態A_1、閾値N_1、x=0）。
【００３０】
次いでステップS224に進み、間欠受信周期を新しい状態番号に対応する周期に更新して間欠受信設定を行う（t=T_1）。
【００３１】
以上説明したように、状態A_0と状態A_1との遷移が行われる。携帯電話端末10の状態を状態A_0から状態A_3までの状態数４とした場合の状態遷移例を図３に示す。同図において、"A_n"は状態nを表し、"T_n"は状態n時の周期を表し、"N_n"は状態n時の連続判定回数閾値を表す。また、"t"は間欠受信周期を表し、"x"は連続圏外判定回数を表す。
【００３２】
同図に示すように、携帯電話端末10は、状態A_0では、x<N_0/でその状態A_0を保持し、x≧N_0/t=T_1で状態A_1に遷移する。状態A_1では、x<N_1/でその状態A_1を保持し、x≧N_1/t=T_2で状態A_2に遷移し、また、強制基地局検索をしてt=T_0で状態A_0に遷移する。携帯電話端末10は、また、状態A_2では、x<N_2/でその状態A_2を保持し、x≧N_2/t=T_3で状態A_3に遷移し、また、強制基地局検索をしてt=T_0で状態A_0に遷移する。携帯電話端末10は、さらに、状態A_3では、x<N_3/でその状態A_3を保持し、強制基地局検索をして、t=T_1で状態A_1に遷移する。
【００３３】
このように強制基地局検索があった場合には、それぞれ状態A(n-2)に遷移する。ただし、n<2のときには状態A_0に遷移する。これら状態遷移により、間欠受信周期が長くまたは短く適切に制御される。
【００３４】
以上説明したように、間欠受信周期を適切な長さに延長することにより消費電力量を減少させることができる。また、間欠受信周期を算出するための複雑な計算を必要としない。また、強制基地局検索が行われるので、たとえば圏外から圏内に移動してきた場合に、判定の更新が長時間行われない状態を防止して、使用者に待たせることが防止される。また、上記実施例では携帯電話端末10に適用した構成について説明したが、本発明はこれに限らず、たとえばPHS (Personal Handy phone System)および無線LAN (Local Area Network)などの位置登録を行う移動体通信のシステム全般の機器に適用することができる。
【図面の簡単な説明】
【００３５】
【図１】本発明が適用された携帯電話端末の実施例を示すブロック図である。
【図２】携帯電話端末の動作を示すフローチャートである。
【図３】状態数４における携帯電話端末の状態遷移を表す図である。
【符号の説明】
【００３６】
10  携帯電話端末
20  受信部
24  基地局検索処理部
30  処理判定部
36  タイマ設定部
38  タイマ部
【図１】
2008177915.tif 000003
【図２】
2008177915.tif 000004
【図３】
2008177915.tif 000005